(57)【要約】従来における温熱治療器を利用して、所定の温度の液体に人体を浸漬させただけでは癌などの治療効果を得ることは困難であった。つまり、従来における温熱治療器にさらに温度制御のための仕組みを付加する必要がある。本発明は生体を収納可能で、内部に温度制御可能な液体を満たすことができる生体収納部と、前記生体収納部に収納された生体に麻酔を施すための麻酔部と、前記液体を前記生体収納部内に供給し、生体を前記液体に浸漬させるための液体供給部と、を有する生体温熱治療装置である。また、本発明は前記の生体温熱治療装置の構成要件を具備しつつ、液体温度制御手段を有する生体温熱温熱治療器である。
2004009003.tif 000002
【特許請求の範囲】
【請求項１】
生体を収納可能で、内部に温度制御可能な液体を満たすことができる生体収納部と、前記生体収納部に収納された生体に麻酔を施すための麻酔部と、前記液体を前記生体収納部内に供給し、生体を前記液体に浸漬させるための液体供給部と、を有する生体温熱治療装置。
【請求項２】
前記液体供給部は、前記生体収納部に満たす液体を温度制御するための液体温度制御手段を有する請求の範囲１に記載の生体温熱治療装置。
【請求項３】
前記液体温度制御手段は、前記液体の温度を、前記生体の副交感神経優位を維持する程度の上昇率で昇温することが可能である請求の範囲２に記載の生体温熱治療装置。
【請求項４】
前記上昇率は、前記液体の温度を生体の平常時体温から摂氏３８度に上昇させる時間が、５分以上であり、前記液体の温度を摂氏３８度から摂氏３９度まで上昇させる時間が１０分以上である請求の範囲３に記載の生体温熱治療装置。
【請求項５】
前記上昇率は、前記液体の温度を前記生体の平常時体温から摂氏３８度に上昇させる時間が、５分以上であり、前記液体の温度を摂氏３８度から摂氏３９度まで上昇させる時間が１０分以上であり、前記液体の温度を摂氏３９度から摂氏４１度まで上昇させる時間が１５分以上である、請求の範囲３に記載の生体温熱治療装置。
【請求項６】
前記上昇率は、前記液体の温度を前記生体の平常時体温から摂氏３８度に上昇させる時間が、５分以上であり、前記液体の温度を摂氏３８度から摂氏３９度まで上昇させる時間が１０分以上であり、前記液体の温度を摂氏３９度から摂氏４１度まで上昇させる時間が１５分以上であり、前記液体の温度を摂氏４１度から摂氏４２度まで上昇させる時間が２０分以上である請求の範囲３に記載の生体温熱治療装置。
【請求項７】
前記液体温度制御手段は、前記生体の体内深部温度を、摂氏４０度から４２度の間の温度である目標温度に所定時間維持するための制御が可能である請求の範囲２に記載の生体温熱治療装置。
【請求項８】
前記液体温度制御手段は、前記生体の体内深部温度を、摂氏４０度から４２度の間の温度である目標温度に１５分以上７時間以内維持するための制御をする請求の範囲７に記載の生体温熱治療装置。
【請求項９】
前記液体温度制御手段は、前記生体の体内深部温度を、生体の平常時体温から前記目標温度に５分から６０分の時間内に昇温するために、前記液体の温度を摂氏３６．５度プラスマイナス１度から前記目標温度に３分から５５分の時間内に昇温可能である請求の範囲７又は、８に記載の生体温熱治療装置。
【請求項１０】
前記液体温度制御手段は、前記生体の体内深部温度を、生体の平常時体温から前記目標温度に１０分から４０分の時間内に昇温するために、前記液体の温度を摂氏３６．５度プラスマイナス１度から前記目標温度に７分から３６分の時間内に昇温可能である請求の範囲７又は、８に記載の生体温熱治療装置。
【請求項１１】
前記液体制御手段は、前記液体の温度を、摂氏０．１度の単位で制御する請求の範囲７から１０のいずれか一に記載の生体温熱治療装置。
【請求項１２】
生体を収納可能で、内部に温度制御可能な液体を満たすことができる生体収納部と、前記生体収納部に収納された生体に麻酔を施すための麻酔部と、前記液体を前記生体収納部内に供給し、生体を前記液体に浸漬させるための液体供給部と、前記液体供給部に設けられた前記生体収納部に満たす液体を温度制御するための液体温度制御手段と、を有し、前記麻酔部により麻酔を前記生体に施した状態で、前記液体温度制御手段により前記生体を前記生体の平常時体温から前記目標温度に５分から６０分以内に昇温し、さらに前記目標温度に１５分から７時間維持することで、前記生体の白血球の顆粒球とリンパ球との割合をリンパ球優位に調節する請求の範囲１に記載の生体温熱治療装置。
【請求項１３】
免疫不全の状態にある生体を収納可能で、内部に温度制御可能な液体を満たすことができる生体収納部と、前記生体収納部に収納された前記生体に麻酔を施すための麻酔部と、前記液体を前記生体収納部内に供給し、前記生体を前記液体に浸漬させるための液体供給部と、前記液体供給部に設けられた前記生体収納部に満たす液体を温度制御するための液体温度制御手段と、を有し、前記麻酔部により麻酔を前記生体に施した状態で、前記液体温度制御手段により前記生体を前記生体の平常時体温から前記目標温度に８分から４７分以内に昇温し、さらに前記目標温度に１５分から３時間維持することで、前記生体の白血球の顆粒球とリンパ球との割合を前記生体種の健全な免疫の状態における割合に近づける生体温熱治療装置。
【請求項１４】
前記生体収納部に収納される前記生体の状態を計測するための生体状態計測部を有し、前記液体温度制御手段は、前記生体状態計測部での計測結果に基いて液体温度を制御可能とする請求の範囲１から１３のいずれか一に記載の生体温熱治療装置。
【発明の詳細な説明】
【技術分野】  本発明は、温熱治療装置に関し、特に、生体を対象とする温熱治療装置に関する。
【背景技術】  従来、癌細胞またはウイルスは、正常細胞に比べて温度感受性が高いことが知られている。そして、この癌細胞またはウイルスと、正常細胞との温度感受性の違いを利用して、治療を行う温熱療法が注目されている。
従来から提案されている温熱治療器は、高周波または放射線などを利用して人体の特定の部分を局所的に加熱し、治療しようとするものであった。上記のような従来の温熱治療器は、人体の特定の部分を局所的に治療するものであるため、たとえば、癌細胞が他の部分に転移した場合には、治療効果が得られないという問題点があった。
特開２００１−２９９７９８は、人体のほぼ全身を温熱療法により治療することを目指したものであり、癌細胞の転移状況などが不明である場合にも、治療効果を得ることを目的としている温熱治療器が開示されている。
【発明の開示】
しかし、特開２００１−２９９７９８における温熱治療器を利用して、所定の温度の液体に人体を浸漬させただけでは癌などの治療効果を得ることは困難であった。つまり、特開２００１−２９９７９８にさらに温度制御のための仕組みを付加する必要がある。
本発明は生体を収納可能で、内部に温度制御可能な液体を満たすことができる生体収納部と、前記生体収納部に収納された生体に麻酔を施すための麻酔部と、前記液体を前記生体収納部内に供給し、生体を前記液体に浸漬させるための液体供給部と、を有する生体温熱治療装置である。また、本発明は前記の生体温熱治療装置の構成要件を具備しつつ、液体温度制御手段を有する生体温熱温熱治療器である。本発明に記載の数値に基づいて液体温度制御手段により前記生体収納部に満たされた液体を制御することで、前記生体の体温を治療のための目標温度に導き、前記生体について癌細胞の死滅などの治療効果を得ることができる。
【図面の簡単な説明】  図１は概念図の一例である。
図２は実施形態１の機能ブロック図の一例である。
図３は実施形態１の全体構成を示した概略図の一例である。
図４は実施形態２の表の一例である。
図５は実施形態２の表の一例である。
図６は実施形態４の機能ブロック図の一例である。
図７は実施形態４の表の一例である。
図８は実施形態４の表の一例である。
図９は実施形態４の表の一例である。
図１０は実施形態４の表の一例である。
図１１は実施形態４の構成を示した概略図の一例である。
図１２は実施形態４の構成を示した概略図の一例である。
図１３は実施形態４の全体構成を示した概略図の一例である。
【発明を実施するための最良の形態】  本発明の実施の形態１は主に、請求の範囲１と請求の範囲２などに対応する。本発明の実施の形態２は主に、請求の範囲３〜請求の範囲６などに対応する。本発明の実施の形態３は主に、請求の範囲７〜請求の範囲１１などに対応する。本発明の実施の形態４は主に、請求の範囲１２〜請求の範囲１４などに対応する。
＜＜実施形態１＞＞
＜概略＞
生体温熱治療装置は生体を生体収納部に収納する。生体収納部には温度制御可能な液体が満たされ、前記生体が前記液体に浸漬される。生体温熱治療装置が有する液体供給部は液体温度制御手段により前記生体収納部に満たされた液体を昇温させることで、前記液体に浸漬された前記生体を目標温度にまで昇温させ、前記生体を前記目標温度に所定時間維持することができる。目標温度とは治療の効果を得るために必要な温度である。所定時間とは治療の効果を得るために必要な時間である。前記生体が前記目標温度に前記所定時間維持されることで、前記生体内の癌細胞やウィルスを死滅させることができる。
＜構成＞
本発明の説明のために、血液成分の説明を簡単に行う。
図１に示すのは血液成分を説明する概念図の一例である。本発明を理解するための血液成分の説明をする。血液は血漿と細胞成分とからなる。細胞成分は赤血球と血小板と白血球とからなる。白血球は顆粒球とマクロファージとリンパ球とからなる。リンパ球はＢリンパ球とＮＫ細胞とＴリンパ球と他の細胞とからなる。Ｔリンパ球はサプレッサーＴ細胞とキラーＴ細胞とヘルパーＴ細胞と他のＴ細胞とからなる。サプレッサーＴ細胞とキラーＴ細胞が表出するのはＣＤ８である。ヘルパーＴ細胞が表出するのはＣＤ４である。ＣＤ４とＣＤ８はマーカーである。血液検査で検出するのはマーカーであり、マーカーにより各々のＴ細胞が計測される。
キラーＴ細胞とヘルパーＴ細胞は共に進化の最も進んだ免疫系の細胞群のサブセットで、骨髄の血液幹細胞に起源がある。その内、リンパ球になる前駆細胞が胸腺で３〜４日の負の選択を受け、数％のみが生き残る。この間、自己に対する反応性を持つクローンが除かれ、最終的に機能のある細胞表面のマーカーであるタンパク質としてＣＤ４を持ったＴリンパ球は、ヘルパーＴ細胞（ＣＤ４＋陽性Ｔ細胞）となって、流血中に供給される。また、マーカーであるタンパク質としてＣＤ８を持ったＴリンパ球は、キラーＴ細胞（ＣＤ８＋細胞傷害細胞）となって、流血中に供給される。
ヘルパーＴ細胞は、細胞表面上のＴ細胞レセプターであり外来たんぱく質などを識別する抗体のような特異性があるＴＣＲと、外来たんぱく質を捕まえる役割をするＣＤ４のタンパク質とを利用して、ヘルパーＴ細胞に対して抗原提示できる樹状細胞、マクロファージ、Ｔ細胞などの細胞表面上で、抗原分子であるペプチド（外来たんぱく質が分解された断片）を噛み込んだ主要組織適合抗原複合体であるＭＨＣクラスＩＩ（ツー）分子を認識する。
このようにして、特異的に結合するクローンがあれば、ヘルパーＴ細胞は分裂及び活性化され、Ｂ細胞（Ｂリンパ球）による体液性免疫である抗体の生産やキラーＴ細胞による細胞傷害を効率よく補助する。
キラーＴ細胞はキラーＴ細胞自身の表面上の、Ｔ細胞レセプターのＴＣＲとＣＤ８タンパク質とを利用して、赤血球以外の全ての体細胞の細胞表面上において、抗原分子のペプチドを噛み込んだ主要組織適合抗原複合体であるＭＨＣクラスＩ（ワン）分子を認識する。
このようにして、特異的に結合するクローンがあれば、分裂及び活性化されキラーＴ細胞として細胞傷害を行い、ウイルスに感染している細胞などを異物として殺し排除すると言う細胞性免疫反応の中心的役割を果たす。
次に、生体の生命維持に危険を及ぼさないための安全な体温の範囲についての説明を簡単に行う。例えば、生体が人体の場合は、平常時体温を３７度とするとプラスマイナス５度の範囲が安全な体温の範囲である。つまり、人間の場合は３２度から４２度の範囲が安全な体温の範囲である。人間の体温の範囲が前記範囲より逸脱すると生命の危険が生じる。
図２に示すのは実施形態１の機能ブロック図の一例である。生体温熱治療装置０２００は、生体収納部０２０１と麻酔部０２０２と液体供給部０２０３とを有する。
「生体収納部」は、生体を収納可能で、内部に温度制御可能な液体を満たすことができる。「生体」とは、哺乳類の生物の身体をいう。例えば、動物の身体であってもよいし、人間の身体であってもよい。「収納可能」とは、前記生体収納部内に前記生体の全部位を収めることができることをいう。全部位とは頭、首、胴体、腕、手、腿、足などである。前記生体収納部に身体の全部位を収めてもよいし、また、前記生体収納部に身体の一部の部位を収めてもよい。例えば、生体の頭部以外の部位を前記生体収納部に収めてもよい。「温度制御可能な液体」とは、温熱及び冷却の媒体であって液体であるものをいう。例えば、水道水であってもよいし、蒸留水であってもよいし、生理食塩水であってもよいし、リンゲル液であってもよい。また、前記生体収納部に温度制御可能な液体を注ぎ込むための注ぎ込み口は、前記生体に水流が直接当たらないように下向きに設置されていてもよい。また、この注ぎ込み口からの水流をジェット水流にして前記生体収納部内の液体を攪拌するようにしてもよい。
「麻酔部」は、前記生体収納部に収納された生体に麻酔を施す。例えば、麻酔器であってもよい。「麻酔」には、局所麻酔、静脈麻酔、脊椎麻酔、硬膜外麻酔、全身麻酔などがある。前記麻酔部では全身麻酔を用いてもよい。全体麻酔とは麻酔ガスを生体の呼気に混合させ生体に麻酔ガスを吸引させることで、生体の意識を失わせることをいう。麻酔ガスとは笑気、ハロセン、エンフルレン、エーテルなどであってもよい。生体に麻酔が施されることで、生体は体温上昇に伴う苦痛から逃れられる。また、生体に麻酔が施されることで、生体の代謝機能が制限される場合がある。
「液体供給部」は、前記液体を前記生体収納部内に供給し、生体を前記液体に浸漬させる。液体供給部には前記液体が蓄積されていてもよい。「供給」とは、前記液体を水管などを用いて前記生体収納部内に供給することをいう。前記水管にバルブが備えてあってもよい。また、前記バルブにより供給する水量を調節してもよい。前記バルブには前記バルブの開閉を制御する機構が備えてあってもよい。「浸漬」とは、前記生体収納部内に満たされた前記液体の中に生体の身体を浸すことをいう。
前記液体供給部は、前記生体収納部に満たす液体を温度制御するための液体温度制御手段０２０４を有することを特徴とする。
前記「液体温度制御手段」は、前記生体収納部に満たす液体を温度制御する。「温度制御」とは、たとえば、前記生体収納部に備えられたセンサからの温度情報を基に加温もしくは冷却する時間及び総熱量などの指示を前記液体温度制御手段に出し、前記生体収納部に満たされた液体の温度を目標温度に誘導することをいう。
図３は実施形態１の全体構成を示した概略図の一例である。本実施形態による生体温熱治療装置は、調整タンク１と、高温タンク２と、低温タンク３と、混合タンク４と、生体収納部（温熱カプセル）５と、吐出部６と、吸込部７と、液体温度制御手段である制御用コンピュータ８とを備える。液体供給部である調整タンク１、高温タンク２、低温タンク３および混合タンク４は、それぞれ、各タンク内のリンゲル溶液の温度を検出する熱センサ１ａ、２ａ、３ａおよび４ａと、各タンク内のリンゲル溶液を加熱する電気ヒータ１ｂ、２ｂ、３ｂおよび４ｂと、各タンク内の液体を攪拌するための攪拌器１ｃ、２ｃ、３ｃおよび４ｃとを含んでいる。
熱センサ１ａ、２ａ、３ａおよび４ａによって検出された温度情報は、制御用コンピュータ８に送られる。また、電気ヒータ１ｂ、２ｂ、３ｂおよび４ｂと、攪拌器１ｃ、２ｃ、３ｃおよび４ｃとは、液体温度制御手段である制御用コンピュータ８によって、動作制御される。なお、調整タンク１、高温タンク２、低温タンク３および混合タンク４は、それぞれ、２５０〜３００リットル程度の容量を有する。
調整タンク１では、バルブ９および１０を調節することにより、リンゲル溶液と精製水とを所定の混合比で混合することによって、リンゲル溶液の濃度調節を行う。この調整タンク１は、調整タンク１内のリンゲル溶液が、所定の温度（たとえば３７度）になるように、制御用コンピュータ８により制御される。
また、調整タンク１には、高温タンク２および低温タンク３が、それぞれ、流量調節バルブ１１および１２を介して接続されている。高温タンク２は、高温タンク２内のリンゲル溶液が、所定の高温度（たとえば４３度）になるように、制御用コンピュータ８により制御される。また、低温タンク３は、低温タンク３内のリンゲル溶液が、所定の低温度（たとえば３７度）になるように、制御用コンピュータ８により制御される。また、流量調節バルブ１１および１２は、制御用コンピュータ８の制御信号により動作制御される。
高温タンク２および低温タンク３には、混合タンク４が接続されている。高温タンク２と混合タンク４との間には、流量調節バルブ１３が設置されており、低温タンク３と混合タンク４との間には、流量調節バルブ１４が設置されている。混合タンク４は、高温タンク２内のリンゲル溶液と低温タンク３内のリンゲル溶液とを混合して所定の温度のリンゲル溶液を作成するためのものである。また、混合タンク４は、その混合タンク４内のリンゲル溶液が、所定の温度に保持されるように、制御用コンピュータ８により制御される。また、流量調節バルブ１３および１４は、制御用コンピュータ８の制御信号により動作制御される。
混合タンク４には、給水バルブ１５を介して生体収納部（温熱カプセル）５が接続されている。この給水バルブ１５は、制御用コンピュータ８の制御信号により動作制御される。生体収納部である生体収納部（温熱カプセル）５には、２５０リットル程度のリンゲル溶液が充填可能である。
また、生体収納部である生体収納部（温熱カプセル）５は、蓋部５ａと、生体収納部（温熱カプセル）５内のリンゲル溶液の温度を検出するための熱センサ５ｂと、生体収納部（温熱カプセル）５内のリンゲル溶液を攪拌するための攪拌器５ｃとを含んでいる。熱センサ５ｂによって検出されたリンゲル溶液の温度情報は、制御用コンピュータ８に送られる。また、攪拌器５ｃは、制御用コンピュータ８の制御信号により動作制御される。
また、生体収納部（温熱カプセル）５は、熱伝導率が低く、かつ、保温効果が高い材料を含むように形成されている。たとえば、生体収納部（温熱カプセル）５は、ＦＲＰ（繊維強化プラスチック）を２重構造にしてその間に発泡ウレタンなどの保温材を充填した構造によって形成されている。
また、生体収納部（温熱カプセル）５の内部には、混合タンク４からのリンゲル溶液を生体収納部（温熱カプセル）５内に吐出するための吐出部６と、生体収納部（温熱カプセル）５内のリンゲル溶液を外部に排水するための吸込部７とが設けられている。吐出部６は、複数個所の吐出口を有する。
液体温度制御手段である制御用コンピュータ８は、生体収納部（温熱カプセル）５内のリンゲル溶液の温度が予め設定された所定の治療温度になるように、液体供給部である調整タンク１、高温タンク２、低温タンク３、混合タンク４、流量調節バルブ１１〜１４および給水バルブ１５の動作を制御する。すなわち、制御用コンピュータ８は、生体収納部（温熱カプセル）５内のリンゲル溶液の温度情報に基づいて、調整タンク１、高温タンク２、低温タンク３、混合タンク４、流量調節バルブ１１〜１４および給水バルブ１５の動作を制御することによって、生体収納部（温熱カプセル）５内のリンゲル溶液の温度を予め設定された所定の治療温度になるようにフィードバック制御する。
＜処理の流れ＞
まず、制御用コンピュータ８において所定の治療温度を設定する。これにより、生体収納部（温熱カプセル）５内に充填されたリンゲル溶液の温度が設定した治療温度になるように、制御用コンピュータ８が調整タンク１、高温タンク２、低温タンク３、混合タンク４、流量調節バルブ１１〜１４および給水バルブ１５に動作の制御の信号を送る。なお、所定の治療温度は、最初は３７度に設定し、１時間に１度ずつ程度上昇させる。ただし、所定の治療温度は、３７度以上４３度以下の範囲内で設定する。これは、所定の治療温度を正常な細胞の死滅温度である４３度よりも低く設定することによって、正常細胞が死滅するのを防止するためである。
この場合、まず、バルブ９および１０を調節することによって、精製水とリンゲル溶液とを所定の比率で調整タンク１に供給する。これにより、調整タンク１において、人体の体液とほぼ同じ浸透圧を有するリンゲル溶液を作成する。このリンゲル溶液は、たとえば０．８ＰＨの濃度になるように作成する。また、制御用コンピュータ８は、調整タンク１内の熱センサ１ａからの温度情報に基づき、調整タンク１内の電気ヒータ１ｂおよび攪拌器１ｃを制御することによって、調整タンク１内のリンゲル溶液が、所定の温度（たとえば３７度）になるように制御する。
次に、流量調節バルブ１１および１２が、制御用コンピュータ８からの制御信号に基づき動作制御されて、調整タンク１内のリンゲル溶液が高温タンク２と低温タンク３とに、それぞれ所定量ずつ供給される。
そして、制御用コンピュータ８は、高温タンク２内の熱センサ２ａからの温度情報に基づき、高温タンク２内の電気ヒータ３ｂおよび攪拌器３ｃを制御することによって、高温タンク２内のリンゲル溶液が、所定の高温度（たとえば４３度）になるように制御する。
また、制御用コンピュータ８は、低温タンク３内の熱センサ３ａからの温度情報に基づき、低温タンク３内の電気ヒータ３ｂおよび攪拌器３ｃを制御することによって、低温タンク３内のリンゲル溶液が、所定の低温度（たとえば３７度）になるように制御する。
そして、流量調節バルブ１３および１４が、制御用コンピュータ８からの制御信号に基づき動作制御されて、高温タンク２内のリンゲル溶液と低温タンク３内のリンゲル溶液とが所定の混合比で混合タンク４に供給される。これにより、混合タンク４において、所定の温度のリンゲル溶液が作成される。また、制御用コンピュータ８は、混合タンク４内の熱センサ４ａからの温度情報に基づき、混合タンク３内の電気ヒータ４ｂおよび攪拌器４ｃを制御することによって、混合タンク３内のリンゲル溶液が、所定の温度に保持されるように制御する。
制御用コンピュータ８からの制御信号に基づき、給水バルブ１５が動作制御されて、混合タンク４から所定の温度のリンゲル溶液が所定量ずつ生体収納部（温熱カプセル）５の吐出部６に供給される。これにより、吐出ヘッダ６の複数の吐出口から所定の温度のリンゲル溶液が吐出される。このように複数の吐出口からリンゲル溶液を吐出することにより、１個所から吐出する場合に比べて生体収納部（温熱カプセル）５内のリンゲル溶液の温度をより均一化することができる。また、生体収納部（温熱カプセル）５内のリンゲル溶液は、制御用コンピュータ８からの制御信号に基づき攪拌器５ｃにより攪拌される。これにより、生体収納部（温熱カプセル）５内のリンゲル溶液の温度をさらに均一化することができる。
なお、温熱治療時に生体収納部（温熱カプセル）５内のリンゲル溶液に生体を浸す際には、麻酔部を通じて生体に全身麻酔を施す。このように麻酔部により生体に全身麻酔を施すことによって、人体の体温調節機能が低下し、全身の体温が環境温度（生体収納部５内のリンゲル溶液の温度）とほぼ同じになる場合がある。これにより、生体収納部（温熱カプセル）５内のリンゲル溶液の温度を制御することによって、容易に人体の体温の調節が可能となる。その結果、容易に人体の体温を所定の治療温度に制御することができる。
＜効果＞
生体温熱治療装置を用いて、前記生体を前記目標温度に前記所定の時間維持することで、前記生体にある頭部を除いた全ての箇所の癌細胞およびウィルスを死滅させることができる。
＜＜実施形態１以上＞＞
＜＜実施形態２＞＞
＜概略＞
生体温熱治療装置を用いて、治療のために生体を前記目標温度に必要な所定時間維持し、並びに、前記生体の白血球を活性化させることで、前記生体内の癌細胞やウィルスを強力に死滅させることができる。このような強力な治療の効果を得るために、生体温熱治療装置の液体供給部が有する液体温度制御手段が生体収納部に満たされた液体の温度の上昇率を制御する。
＜構成＞
前記生体温熱治療装置が有する液体温度制御手段は、前記生体を浸漬させる液体の温度を、前記生体の副交感神経優位を維持する程度の上昇率で昇温することが可能である。「副交感神経」とは、生体の身体の機能が支配を受けている２種類の自律神経系である交感神経系と副交感神経系の内の一方の自立神経系である。生体の血液の白血球中の顆粒球とリンパ球は前記自律神経の支配を受けて顆粒球とリンパ球の比率が調節されている。「副交感神経優位」とは、前記副交感神経系の生体の身体の調節により、前記顆粒球とリンパ球の比率に関して、リンパ球の比率が顆粒球の比率よりも多い状態にあることをいう。生体の身体が副交感優位にあると血流がよくなるという効果もある。「維持」とは、前記生体の身体の自立神経系のうちの副交感神経の調節により血液の白血球のリンパ球の比率が顆粒球の比率よりも多い状態が持続することをいう。「上昇率」とは、前記生体収納部内に満たされた生体を浸漬させる液体の温度を上げる際の単位時間当たりの温度の上げ幅を言う。例えば、前記単位時間が１０分で１度の幅、前記液体の温度を上昇させる場合の上昇率は１／１０（度／分）となる。「昇温」とは、前記生体収納部内の液体の温度を上昇させることをいう。
また、前記生体温熱治療装置の液体温度制御手段が前記生体を浸漬させる液体の温度を昇温させる際の前記液体の温度の上昇率は、前記液体の温度を生体の平常時体温から摂氏３８度に上昇させる時間が、５分以上であり、前記液体の温度を摂氏３８度から摂氏３９度まで上昇させる時間が１０分以上である。「平常時体温」とは、前記生体の平常時の体温である。「上昇させる時間」とは、前記生体の体温が所定の温度に達するまでに要する時間をいう。「５分以上」とは、前記生体の体温が平常時の温度から３８度の温度に達するまでに要する時間が５分以上であることを限定したものである。「１０分以上」とは、前記生体の体温が３８度の温度から３９度の温度に達するまでに要する時間が１０分以上であることを限定したものである。
図４に示すのは、生体温熱治療装置の生体収納部に収納された生体の直腸温度が液体温度制御手段の温度制御により直腸温度が推移した際のデータの一例である。図４中のイベント欄の「入湯」とは生体が生体収納部の液体に浸漬された時である。図４中のイベント欄の「出湯」とは生体が生体収納部から抜け出た時である。図４によると、生体の体温が平常時の温度から３８度に達するまでに要した時間が１０分であり、３８度から３９度に達するまでに要した時間が１１分である。
次に入湯直前と出湯直後における採血における生体のリンパ球サブセットの割合を比較するデータの一例を図５に示す。ＣＤ４は生体の血液のリンパ球サブセットであるヘルパーＴ細胞が有するマーカである。また、ＣＤ８はリンパ球サブセットであるキラーＴ細胞及びサプレッサーＴ細胞が有するマーカである。生体の血液の検査においてＣＤ４とＣＤ８の２つのマーカを測定することでリンパ球サブセットの割合を把握した。入湯直前とは生体が生体収納部の液体に浸漬される直前である。出湯直後とは生体が生体収納部から抜け出し、液体に浸漬されなくなった直後である。図５によると、ＣＤ４の出湯直後の割合が基準値を超えており、ＣＤ４の割合が高くなったと判定されている。これは生体が前記液体に浸漬することで副交感優位になることを示すデータの一例といえる。
また、前記生体温熱治療装置の液体温度制御手段が前記生体を浸漬させる液体の温度を昇温させる際の前記液体の温度の上昇率は、前記液体の温度を前記生体の平常時体温から摂氏３８度に上昇させる時間が、５分以上であり、前記液体の温度を摂氏３８度から摂氏３９度まで上昇させる時間が１０分以上であり、前記液体の温度を摂氏３９度から摂氏４１度まで上昇させる時間が１５分以上である。「１５分以上」とは、前記生体の体温が３９度の温度から４１度の温度に達するまでに要する時間が１５分以上であることを限定したものである。前記生体の温度が１５分以内に３９度の温度から４１度の温度に達した際は生体が交感神経優位の状態となってしまうため、生体が交感神経優位となるのを避けるために前記のように「１５分以上」と限定する。
また、前記生体温熱治療装置の液体温度制御手段が前記生体を浸漬させる液体の温度を昇温する際の前記液体の温度の上昇率は、前記液体の温度を前記生体の平常時体温から摂氏３８度に上昇させる時間が、５分以上であり、前記液体の温度を摂氏３８度から摂氏３９度まで上昇させる時間が１０分以上であり、前記液体の温度を摂氏３９度から摂氏４１度まで上昇させる時間が１５分以上であり、前記液体の温度を摂氏４１度から摂氏４２度まで上昇させる時間が２０分以上である。「２０分以上」とは、前記生体の体温が４１度の温度から４２度の温度に達するまでに要する時間が２０分以上であることを限定したものである。前記生体の温度が２０分以内に４１度の温度から４２度の温度に達した際は生体が交感神経優位の状態となってしまうため、生体が交感神経優位となるのを避けるために前記のように「２０分以上」と限定する。
＜処理の流れ＞
前記生体温熱治療装置の液体供給部が有する、前記生体収納部に満たす液体を温度制御するための液体温度制御手段は、前記液体の温度を、前記生体の副交感神経優位を維持する程度の上昇率で昇温する。その際の上昇率は、前記液体の温度を前記生体の平常時体温から摂氏３８度に上昇させる時間が、５分以上であってもよい。また、前記液体の温度を摂氏３８度から摂氏３９度まで上昇させる時間が１０分以上であってもよい。また、前記液体の温度を摂氏３９度から摂氏４１度まで上昇させる時間が１５分以上であってもよい。また、前記液体の温度を摂氏４１度から摂氏４２度まで上昇させる時間が２０分以上であってもよい。
＜効果＞
生体温熱治療装置の液体供給部が有する液体温度制御手段が生体収納部に満たされた液体の温度の上昇率を本実施の形態に示された上昇率で制御することにより、前記生体の白血球を活性化させ、前記生体内の癌細胞やウィルスを強力に死滅させることができる。
＜＜実施形態２以上＞＞
＜＜実施形態３＞＞
＜概略＞
生体温熱治療装置を用いて、治療のために生体を前記目標温度に必要な所定時間維持し、並びに、前記生体の白血球を活性化させることで、前記生体内の癌細胞やウィルスを強力に死滅させることができる。このような強力な治療の効果を得るために、生体温熱治療装置の液体供給部が有する液体温度制御手段が生体収納部に満たされた液体の温度を制御し前記生体の体内深部温度を目標温度に導いた後、前記液体温度制御手段は治療の効果が生じさせるための所定の時間、前記体内深部温度が目標温度に維持されるように前記液体の温度を制御する。これにより、生体が生体収納部に浸漬された後に液体に浸漬されない状態でも生体のリンパ球優位の状態が保たれる。
＜構成＞
生体温熱治療装置の液体温度制御手段は、前記生体の体内深部温度を、摂氏４０度から４２度の間の温度である目標温度に所定時間維持するための制御が可能である。「体内深部温度」とは、生体の身体の内部の温度をいう。例えば、生体の直腸温度であってもよい。「目標温度」とは、摂氏４０度から４２度の間の温度をいう。例えば、癌細胞などを死滅させる温度である。「所定時間」とは、生体の疾患の治療に要する時間である。例えば、生体の癌細胞などを全て死滅させるために要する時間であってもよい。「維持」とは、前記生体の体内深部温度を目標温度にまで上昇させた状態を持続することである。「制御」とは、前記生体収納部に満たされた液体の温度を前記液体温度制御手段が誘導することで前記液体の温度を目標温度に維持することである。これは実施形態１に記截の液体温度制御手段により可能となる。
また、前記生体温熱治療装置の液体温度制御手段は、前記生体の体内深部温度を、摂氏４０度から４２度の間の温度である目標温度に１５分以上７時間以内維持するための制御をする。「１５分以上７時間以内」とは、前記生体の体内深部温度を、摂氏４０度から４２度の間の温度である目標温度に維持する時間が１５分以上で７時間以内であることを限定したものである。それは、１５分以内に前記生体の体内深部温度が目標温度に達すると生体が交感神経優位の状態になるためである。また、７時間以上、前記生体が目標温度に維持されると生命の危険があるためである。
また、前記生体温熱治療装置の液体温度制御手段は、前記生体の体内深部温度を、生体の平常時体温から前記目標温度に５分から６０分の時間内に昇温するために、前記液体の温度を摂氏３６．５度プラスマイナス１度から前記目標温度に３分から５５分の時間内に昇温可能である。「５分から６０分の時間内」とは、前記生体の体内深部温度を、生体の平常時体温から前記目標温度に達するまでに要する時間が５分から６０分の時間内であることを限定したものである。「摂氏３６．５度プラスマイナス１度」とは、前記液体の昇温される前の温度が摂氏３６．５度プラスマイナス１度であることを限定したものである。「３分から５５分」とは、前記液体を昇温して目標温度に達するまでに要する時間が３分から５５分の時間内であることを限定したものである。「昇温可能」とは、前記液体の温度を目標温度に昇温することができることをいう。これは、実施形態１に記載の液体温度制御手段により可能となる。
また、前記生体温熱治療装置の液体温度制御手段は、前記生体の体内深部温度を、生体の平常時体温から前記目標温度に１０分から４０分の時間内に昇温するために、前記液体の温度を摂氏３６．５度プラスマイナス１度から前記目標温度に７分から３６分の時間内に昇温可能である。「１０分から４０分の時間内」とは、前記液体を昇温して前記生体の体内深部温度が目標温度に達するまでに要する時間が１０分から４０分の時間内であることを限定したものである。「１０分から４０分の時間内」は前記の「５分から６０分の時間内」より最適な目標時間である。前記生体の体内深部温度が、生体の平常時体温から前記目標温度に１０分以内に達すると生体が交感神経優位となるため「１０分から」と限定する。また、「４０分の時間内」と限定するのは、４０分以上になると生体に負荷がかかるためである。「７分から３６分の時間内」とは、前記液体を昇温して目標温度に達するまでに要する時間が７分から３６分の時間内であることを限定したものである。
また、前記生体温熱治療装置の液体制御手段は、前記液体の温度を、摂氏０．１度の単位で制御する。「摂氏０．１度の単位」とは、前記液体制御手段は摂氏０．１度の単位で目標温度を設定することができ、前記液体の温度を０．１度単位で昇温もしくは降温できることをいう。
＜処理の流れ＞
前記液体温度制御手段は、前記生体の体内深部温度を、摂氏４０度から４２度の間の温度である目標温度に所定時間維持するための制御が可能である。その際に、前記液体温度制御手段は、前記生体の体内深部温度を、摂氏４０度から４２度の間の温度である目標温度に１５分以上７時間以内維持してもよい。また、前記生体の体内深部温度を、生体の平常時体温から前記目標温度に５分から６０分の時間内に昇温するために、前記液体の温度を摂氏３６．５度プラスマイナス１度から前記目標温度に３分から５５分の時間内に昇温可能であってもよい。また、前記生体の体内深部温度を、生体の平常時体温から前記目標温度に１０分から４０分の時間内に昇温するために、前記液体の温度を摂氏３６．５度プラスマイナス１度から前記目標温度に７分から３６分の時間内に昇温可能であってもよい。
＜効果＞
生体温熱治療装置の液体供給部が有する液体温度制御手段が前記生体が目標温度に所定時間維持されるように前記生体収納部に満たされた液体の温度を制御することにより白血球を活性化させ、また、生体が生体収納部に浸漬された後に液体に浸漬されない状態でも生体をリンパ球優位の状態に保つことにより、前記生体の前記生体内の癌細胞やウィルスを強力に死滅させることができる。
＜＜実施形態３以上＞＞
＜＜実施形態４＞＞
＜概略＞
生体温熱治療装置を用いて、治療のために生体を前記目標温度に必要な所定時間維持することで、前記生体の白血球を活性化させること、並びに、生体が生体収納部に浸漬された後に液体に浸漬されない状態になっても生体はリンパ球優位の状態に保たれることで、前記生体内の癌細胞やウィルスを強力に死滅させることができる。
＜構成＞
図６に示すのは実施形態４の機能ブロック図の一例である。生体温熱治療装置は生体を収納可能で、内部に温度制御可能な液体を満たすことができる生体収納部と、前記生体収納部に収納された生体に麻酔を施すための麻酔部と、前記液体を前記生体収納部内に供給し、生体を前記液体に浸漬させるための液体供給部と、前記液体供給部に設けられた前記生体収納部に満たす液体を温度制御するための液体温度制御手段と、を有し、前記麻酔部により麻酔を前記生体に施した状態で、前記液体温度制御手段により前記生体を前記生体の平常時体温から前記目標温度に５分から６０分以内に昇温し、さらに前記目標温度に１５分から７時間維持することで、前記生体の白血球の顆粒球とリンパ球との割合をリンパ球優位に調節する。「白血球の顆粒球とリンパ球との割合」とは、生体の血液中の白血球が有する顆粒球とリンパ球について、白血球内における顆粒球の割合と白血球内におけるリンパ球の割合をいう。「リンパ球優位」とは、前記白血球の顆粒球とリンパ球との割合において、リンパ球の割合が顆粒球の割合より多い状態をいう。「調節」とは、生体の身体の血液の白血球において前記リンパ球優位の状態に生体の身体を誘導することをいう。
次に生体の入湯直前と出湯直後の顆粒球数が変化しないことを示すデータの一例を図７に示す。図７から図１０までの表において生体の入湯時間は約２０分間であり、生体に麻酔は施されていない。図７から図１０の「直後」とは、生体が生体収納部の液体に浸漬された状態にあった後に生体収納部を抜け出た直後のことである。図７から図１０の「直前」とは、生体が生体収納部に浸漬される直前のことである。図７から図１０は生体の前記直後の白血球の成分の値が前記直前の白血球の成分の値と比較して有意の差があるか否かを示す表である。本発明においては、被実験者２８人もしくは２０人において、前記直前と前記直後の２つの群の生体の白血球の成分の平均値に差があるか否かを識別する方法としてｔ検定を利用した。
図７によると、顆粒球数の出湯直後の平均数は３８４２．９２８５７１個である。顆粒球数の入湯直前の平均数は３８６１．６７８５７１個である。観測数は出湯直後と入湯直前共に２８体である。「ｔ」の絶対値が「ｔ  境界値  両側」の値より小さいため出湯直後と入湯直前の一対の標本間の平均数に相違がないことを示す。つまり、顆粒球数の前記直前と前記直後では危険率５％以下で有意の差が無いと言える。
次に、生体の入湯直前と出湯直後を比較した際のリンパ球数の増加を示すデータの一例を図８に示す。
図８によると、リンパ球数の出湯直後の平均数は２７１２．５個である。リンパ球数の入湯直前の平均数は２２５８．７５個である。観測数は出湯直後と入湯直前共に２８体である。「ｔ」の絶対値が「ｔ  境界値  両側」の値より大きいため出湯直後と入湯直前の一対の標本間の平均数に相違があることを示す。つまり、リンパ球数は前記直前と前記直後では危険率５％以下で有意の差があると言える。
次に、生体の入湯直前と出湯直後を比較した際のリンパ球およびリンパ球サブセット数の増加を示すデータの一例を図９と図１０に示す。ＣＤ３はＴ細胞のマーカである。ＣＤ４はヘルパーＴ細胞のマーカであり、Ｔリンパ球のサブセットである。サブセットとは子集合のことである。
図９によると、ＣＤ３の入湯直前の平均数は１４１５個である。ＣＤ３の出湯直後の平均数は１７１０個である。観測数は出湯直後と入湯直前共に２０体である。「ｔ」の絶対値が「ｔ  境界値  両側」の値より大きいため出湯直後と入湯直前の一対の標本間の平均数に相違があることを示す。つまり、Ｔリンパ球数は前記直前と前記直後では危険率５％以下で有意の差があると言える。
ＣＤ４はヘルパーＴ細胞のマーカであり、ＣＤ３のサブセットである。サブセットとは子集合のことである。図１０によると、ＣＤ４の入湯直前の平均数は８１０個である。ＣＤ４の出湯直後の平均数は１０１５個である。観測数は出湯直後と入湯直前共に２０体である。「ｔ」の絶対値が「ｔ  境界値  両側」の値より大きいため出湯直後と入湯直前の一対の標本間の平均数に相違があることを示す。つまり、Ｔリンパ球サブセット細胞数は前記直前と前記直後では危険率５％以下で有意の差があると言える。
図８から図１０によると、健常人の生体において、前記生体収納部に満たされた液体が４０数度であり、前記生体が前記液体に１５〜２０分浸漬されることで、前記生体の体温が３９度を超えた際に、ヘルパーＴ細胞が２〜３割の割合で上昇することが分かる。また、図７によると、顆粒球の数は全く変動しないか僅かに減少することも分かる。このことは、生体温熱治療装置による前記生体の昇温によって生体の自律神経系のうち副交感神経が支配するリンパ球系の活性化のみを誘導できることを意味している。そして、リンパ球の活性化のみを誘導することによって顆粒球優位の癌患者やエイズ患者の免疫状態を改善しうることを示す。
また、生体温熱治療装置は、免疫不全の状態にある生体を収納可能で、内部に温度制御可能な液体を満たすことができる生体収納部と、前記生体収納部に収納された前記生体に麻酔を施すための麻酔部と、前記液体を前記生体収納部内に供給し、前記生体を前記液体に浸漬させるための液体供給部と、前記液体供給部に設けられた前記生体収納部に満たす液体を温度制御するための液体温度制御手段と、を有し、前記麻酔部により麻酔を前記生体に施した状態で、前記液体温度制御手段により前記生体を前記生体の平常時体温から前記目標温度に８分から４７分以内に昇温し、さらに前記目標温度に１５分から３時間維持することで、前記生体の白血球の顆粒球とリンパ球との割合を前記生体種の健全な免疫の状態における割合に近づける。「免疫不全の状態」とは、生体の免疫反応がなくなっている状態をいう。「８分から４７分の時間内」とは、前記液体を昇温して生体が目標温度に達するまでに要する時間が８分から４７分の時間内であることを限定したものである。「１５分から３時間」とは、前記生体の体内深部温度を、摂氏４０度から４２度の間の温度である目標温度に維持する時間が１５分から３時間であることを限定したものである。「健全な免疫の状態」とは、生体に免疫反応が存在する状態をいう。
また、生体温熱治療装置は、前記生体収納部に収納される前記生体の状態を計測するための生体状態計測部を有し、前記液体温度制御手段は、前記生体状態計測部での計測結果に基いて前記液体の温度を制御可能とする。「生体状態計測部」とは、前記生体収納部に収納される前記生体の状態を計測する。例えば、直腸温度計であってもよいし、鼓膜温度計であってもよい。「計測結果」とは、生体の深部温度を前記生体状態計測部で計測した結果である。「制御可能」とは、前記生体状態計測部の計測結果に基づき前記生体収納部の液体温度制御手段が生体の深部温度を前記目標温度に達成させるまで前記液体を昇温もしくは降温するできることをいう。例えば、フィードバック制御を利用してもよい。
図１１は実施形態４の生体収納部１１００の構成を示した概略図の一例である。実施形態４の生体収納部には、生体が温度制御可能な液体に浸漬されている。図１１によると生体の頭部以外の部位が液体に浸漬されている。そして、生体は麻酔部からの麻酔ガス１１０１を吸引している。そして、生体の手の指先と足の指先には電極などが備え付けられていて心電図データなどを計測してもよい。また、生体の肛門には直腸温度計が差し込まれていて直腸温度を計測してもよい。そして、生体は頭部が液体面１１０２上になるように器具により支えられている。「液体面」とは生体収納部内の液体と気体とを区別する面である。前記液体面の高さは前記液体供給部により調節されてもよい。「調節」とは例えば、水位センサを用いて液体面の高さを測定し、生体収納部に供給する液体の量を調節することであってもよい。図１１内では前記液体は温水と表わされている。前記温水は複数の吐出部（温水出口）１１０３により生体収納部内に供給される。複数の吐出部があることにより生体収納部内の特定の箇所の液体の温度が高くなることを避けることができる。前記吐出部は前記温水が下向けに供給されるように備えられている。これにより、前記温水が下向けに生体収納部内に供給されることで生体に直接温水の水流があたらなくなり、生体の特定の箇所のみが急激に昇温されることを回避する。また、温熱治療時においては、前記温水は前記吐出部により生体収納部に常時供給され続けている。そして、生体収納部に備えられた排水口より常時排水される。「排水口」とは生体収納部に備えられた液体を排出する口である。前記排水口には排水する量を調節する弁もしくはポンプなどが備えられていてもよい。前記液体面の高さが変わらないように排水してもよい。このように温水が生体収納部内に供給された後に排水される方式を強制循環方式という。
図１２は実施形態４の生体収納部の構成と共に前記生体収納部内に満たされた液体の温度の分布を示す図と実験データの一例である。複数の吐出部は生体収納部内の生体配置位置より下側でかつ生体収納部側面部に設けられた左右それぞれ３ヶ所にある。図１２内（１）は生体収納部内に満たされた液体の温度分布を示す。前記生体収納部の液体が満たされる部位を治療槽という。前記治療槽の縦の長さは７２０ｍｍであり、横の長さは１９２５ｍｍである。前記液体の温度の計測地点は縦横面に１５点あり、それぞれの計測地点に計測点Ｎｏ．が与えられている。各計測地点の位置は図１２（１）内に示された位置である計測地点▲１▼から▲１２▼までである。また、計測地点▲１▼から▲１２▼までの計測地点は上下に２点の計測地点を有する。計測地点▲１３▼から▲１５▼までの計測地点は上のみである。であるので、前記治療槽の合計の計測地点は２７点となる。「頭部側」とは、生体の頭部が置かれる側をいう。「測定温度」とは、温度センサにより測定された温度である。各計測地点の前記測定温度が記載されている。図１２（１）内のａ〜ａの断面図が図１２（２）である。図１２（２）によると、治療槽の高さは５１０ｍｍである。治療槽上部より５０ｍｍ下に液面がある。「担架」とは生体の身体を支える器具をいう。「液面」とは前記液体面のことである。「上部計測点」とは、計測地点▲１▼から▲１２▼までの計測地点が有する上下の２点のうちの上部の計測地点である。「下部計測点」とは、計測地点▲１▼から▲１２▼までの計測地点が有する上下の２点のうちの下部の計測地点である。図１２内（３）は液体の温度を計測した結果を分析した表である。図１２内（３）の「治療槽容量」とは、前記治療槽に満たされた液体の総容量である。「治療槽設定温度」とは、治療槽内の液体の目標となる温度である。「室内温度」とは、前記生体収納部が置かれている室内の大気の温度である。「最高温度」とは、治療槽内の計測地点２７点において温度センサで計測された治療槽内の液体の温度で最も高い温度である。「最低温度」とは、治療槽内の計測地点２７点において温度センサで計測された治療槽内の液体の温度で最も低い温度である。「平均温度」とは、治療槽内の計測地点２７点において温度センサで計測された液体の平均の温度である。「標準偏差」とは、治療槽内の計測地点２７点において温度センサで計測された液体の温度の標準偏差である。図１２（３）によると、治療槽設定温度が４２度の際に、治療槽内の液体の最高温度は４２度であり、最低温度は４１．９８度である。治療槽の液体内では０．０２度内の温度のばらつきしかないことがわかる。これは吐出部の数が生体収納部片側につき２箇所から６箇所としても同様の結果が得られる。以上により、生体収納部内にみたされた液体の温度は目標とする温度からマイナス０．０２度の範囲に保たれていることがわかる。温熱治療においては、０．１度単位の温度制御が行えるとよいので、本発明に係る生体温熱治療装置は温熱治療に十分に使用可能であることがわかる。そして、前記生体収納部の内の生体の深部温度、例えば直腸温度などを治療のための目標温度に誘導するように、前記生体収納部の液体の温度を制御することで、前記液体と前記生体の温度の同期化が実現でき、前記生体に対して温熱治療を実施することができる。
＜処理の流れ＞
図１３は実施形態４の全体構成を示した概略図の一例である。実施形態１と重なる箇所の説明は省略する。本実施形態に特徴的な部分は生体状態計測部である。
たとえば、生体内に直腸温度計を設置する。そして、直腸温度計の数値が目標温度になるように液体温度制御手段は液体供給部に蓄積された液体を昇温もしくは降温させ、その昇温もしくは降温した液体を生体収納部に供給することで生体収納部に満たされた液体の温度を昇温もしくは降温させる。そして、前記生体収納部に満たされた液体を通じて、生体の温度が昇温もしくは降温する。生体の温度が目標値になるように液体温度制御手段はフィードバック制御を行う。降温とは前記液体の温度が下がることをいう。
＜効果＞
生体温熱治療装置の液体供給部が有する液体温度制御手段が前記生体が目標温度に所定時間維持されるように前記生体収納部に満たされた液体の温度を制御することにより、前記生体の白血球を活性化させ、並びに、生体が生体収納部に浸漬された後に液体に浸漬されない状態になっても前記白血球が有する顆粒球とリンパ球との割合をリンパ球優位に調節させることで、前記生体内の癌細胞やウィルスを強力に死滅させることができる。
＜＜実施形態４以上＞＞
【産業上の利用可能性】  本発明によれば、生体のほぼ全身を温熱療法により治療することができる。また、癌細胞の転移状況などが不明である場合にも、治療効果を得ることができる。さらに、生体の体温を高精度に調整することができる。
【図１】
2004009003.tif 000003
【図２】
2004009003.tif 000004
【図３】
2004009003.tif 000005
【図４】
2004009003.tif 000006
【図５】
2004009003.tif 000007
【図６】
2004009003.tif 000008
【図７】
2004009003.tif 000009
【図８】
2004009003.tif 000010
【図９】
2004009003.tif 000011
【図１０】
2004009003.tif 000012
【図１１】
2004009003.tif 000013
【図１２】
2004009003.tif 000014
【図１３】
2004009003.tif 000015
【国際調査報告】
2004009003.tif 000016
2004009003.tif 000017
2004009003.tif 000018